(57)【要約】【課題】画素電極と共通電極とが絶縁層を介して積層された液晶表示装置について良好な表示品位を得ることである。【解決手段】液晶表示装置１０は、一対の基板と、一対の基板に狭持された液晶層と、第一電極１６４と、第二電極と、配向膜と、配線１５６とを含む。第一電極１６４は、一対の基板の一方の基板に、複数の画素のそれぞれに設けられ、スリット１６４ｓを挟んで配列された複数の枝部１６４ｙを有する。第二電極は、第一電極１６４と絶縁層を介して積層され、第一電極の液晶層と反対側に設けられている。配向膜は、第一電極１６４の液晶層側に設けられ、スリット１６４ｓに略平行にラビングされている。配線１５６は、第一電極１６４に隣接し、スリット１６４ｓに略平行に延伸されている。平面視において、第一電極１６４と配線１５６との間隔と、配線１５６の幅との合計寸法が５μｍ以上１５μｍ以下である。【選択図】図２
2008197343.tif 000002
【特許請求の範囲】
【請求項１】
一対の基板と、
前記一対の基板に狭持された液晶層と、
前記一対の基板の一方の基板に、複数の画素のそれぞれに設けられ、スリットを挟んで配列された複数の枝部を有する第一電極と、
前記第一電極と絶縁層を介して積層され、前記第一電極の前記液晶層と反対側に設けられた第二電極と、
前記第一電極の前記液晶層側に設けられ、前記スリットに略平行にラビングされた配向膜と、
前記第一電極に隣接し、前記スリットに略平行に延伸された配線と、
を備え、
平面視において、前記第一電極と前記配線との間隔と、前記配線の幅との合計寸法が５μｍ以上１５μｍ以下であることを特徴とする液晶表示装置。
【請求項２】
請求項１に記載の液晶表示装置であって、
前記配線を挟んで隣り合う前記第一電極にそれぞれ対応する前記画素は、表示色の色相が互いに異なることを特徴とする液晶表示装置。
【請求項３】
請求項１または請求項２に記載の液晶表示装置であって、
前記複数の枝部は、両端の枝部のうちの少なくとも一方と、残りの枝部とで異なる幅を有することを特徴とする液晶表示装置。
【請求項４】
請求項１ないし請求項３のいずれか１項に記載の液晶表示装置であって、
前記スリットと前記配向膜のラビング方向とのなす角が５°以上１０°以下であることを特徴とする液晶表示装置。
【請求項５】
請求項１ないし請求項４のいずれか１項に記載の液晶表示装置において、
前記複数の枝部の両端のうち少なくとも一方の端部が互いに接続されていることを特徴とする液晶表示装置。
【請求項６】
請求項１ないし請求項５のいずれか１項に記載の液晶表示装置であって、
前記第一電極が前記一方の基板に設けられた複数のスイッチング素子のそれぞれに接続された画素電極であり、前記第二電極が、少なくとも前記スリットに垂直な方向に隣接する前記画素に跨って設けられた共通電極であることを特徴とする液晶表示装置。
【発明の詳細な説明】
【技術分野】
【０００１】
本発明は液晶表示装置に係り、特に画素電極と共通電極とが絶縁層を介して積層された液晶表示装置に関する。
【背景技術】
【０００２】
ＦＦＳ（Fringe  Field  Switching）方式の液晶表示装置では、液晶の配向を制御する画素電極と共通電極との両方が同じ基板に設けられており、この２つの電極は絶縁層を介して積層されている。当該電極のうちで上側の電極すなわち液晶層側の電極にはスリットが設けられている。スリットの長手方向（長辺方向）と略平行にラビング処理がなされ、上記電極間の電圧がオフ電圧の場合、液晶分子はスリットの長手方向と略平行に配向する。オフ電圧よりも高い電圧を上記電極間に印加した場合、スリットの長辺に対して垂直な方向に電界が発生し、液晶分子は電界方向に沿うように基板に平行な面内で回転する。液晶分子の回転角を制御することによって、透過光量が制御される。
【０００３】
なお、ＦＦＳ方式は例えば特許文献１，２に記載されている。
【０００４】
【特許文献１】特開平１１−２０２３５６号公報
【特許文献２】特開２００１−２６４８０９号公報
【発明の開示】
【発明が解決しようとする課題】
【０００５】
ＦＦＳ方式において、隣接する画素の電界の漏れがあり、この電界の漏れがラビング方向（液晶の配向している方向）に対して角度を持っている場合には、この電界により液晶が電界の方向を向くことになり、この領域で光漏れが発生する。従来は、この光漏れを防止するために、この領域にブラックマトリクスを設けていた。これにより、ブラックマトリクスにより遮光する領域が大きくなり、画素の開口率を低下させることになっていた。
【０００６】
更に、隣接する画素の表示色の色相が異なる場合には、隣接する異なる色相の画素において光漏れが発生するため、混色が発生して表示品位を低下させることになる。
【０００７】
本発明の目的は、画素電極と共通電極とが絶縁層を介して積層された液晶表示装置であって良好な表示品位を得ることが可能な液晶表示装置を提供することである。
【課題を解決するための手段】
【０００８】
本発明に係る液晶表示装置は、一対の基板と、前記一対の基板に狭持された液晶層と、前記一対の基板の一方の基板に、複数の画素のそれぞれに設けられ、スリットを挟んで配列された複数の枝部を有する第一電極と、前記第一電極と絶縁層を介して積層され、前記第一電極の前記液晶層と反対側に設けられた第二電極と、前記第一電極の前記液晶層側に設けられ、前記スリットに略平行にラビングされた配向膜と、前記第一電極に隣接し、前記スリットに略平行に延伸された配線と、を備え、平面視において、前記第一電極と前記配線との間隔と、前記配線の幅との合計寸法が５μｍ以上１５μｍ以下であることを特徴とする。上記構成によれば、画素の電界が配線を挟んで隣接する画素に及ぼす影響が抑制される。したがって、上記電界による隣接画素での光漏れを抑制して、良好な表示品位が得られる。
【０００９】
ここで、前記配線を挟んで隣り合う前記第一電極にそれぞれ対応する前記画素は、表示色の色相が互いに異なることが好ましい。上記構成によれば、上記光漏れによる混色を抑制することができる。したがって、混色による色域の縮小を抑制して、良好な表示品位が得られる。
【００１０】
また、前記複数の枝部は、両端の枝部のうちの少なくとも一方と、残りの枝部とで異なる幅を有することが好ましい。上記構成によれば、枝部の幅および間隔の最適化と上記の光漏れ抑制とを同時に図ることができる。
【００１１】
また、前記スリットと前記配向膜のラビング方向とのなす角が５°以上１０°以下であることが好ましい。
【００１２】
また、前記複数の枝部の両端のうち少なくとも一方の端部が互いに接続されていることが好ましい。
【００１３】
また、前記第一電極が前記一方の基板に設けられた複数のスイッチング素子のそれぞれに接続された画素電極であり、前記第二電極が、少なくとも前記スリットに垂直な方向に隣接する前記画素に跨って設けられた共通電極であることが好ましい。
【発明を実施するための最良の形態】
【００１４】
以下に図面を用いて本発明に係る実施の形態について詳細に説明する。
【００１５】
図１に本発明の実施の形態に係る液晶表示装置１０を説明する平面図を示す。図１には液晶表示装置１０の画素領域の一部を図示している。また、図２に図１中の一点鎖線で囲んだ部分２を説明する平面図を示し、図３に図２中の３−３線における断面図を示す。図面の煩雑化を避けるため、各図において他図に図示した要素の一部を省略している。
【００１６】
液晶表示装置１０は画像領域内に行方向に延びた複数のゲート信号線１５２と列方向に延びた複数の表示信号線１５６が交差し規定されたマトリクス配列の複数の画素２０を含んでいる。画素２０の境界を図1では太い破線で例示している。液晶表示装置１０では、赤色（Ｒ）、青色（Ｂ）および緑色（Ｇ）を表示する画素２０がストライプ配列されている。すなわち、列方向には表示色の色相が同じ画素２０が並んでおり、行方向には表示色の色相が異なる画素２０が並んでいる。
【００１７】
また、画素２０をデルタ配列等にすることも可能であり、Ｒ、ＢおよびＧの画素２０の配列順序も図示の例に限られるものではない。また、画素２０の表示色は上記３色に限られるものではない。
【００１８】
液晶表示装置１０では、行方向に並んだ３色の画素２０でカラー表示のための１単位が構成される。当該１単位は例えば「絵素」と呼ばれる。また、当該１単位を「ピクセル（または画素）」と呼び、これに対応させて画素２０を「サブピクセル（またはサブ画素）」と呼ぶ場合もある。ここでは、画素２０が列方向に長い長方形をしており、上記のカラー表示のための１単位が正方形の場合を例示するが、画素２０および上記１単位の形状はこれらに限られるものではない。
【００１９】
液晶表示装置１０は、対向配置された一対の基板１１０，２１０と、当該一対の基板１１０，２１０間に挟まれた液晶層３０２とを含んでいる。基板１１０，２１０は、例えばガラス板等の透光性基板で構成可能である。なお、基板間の距離は、セルギャップに対応し、例えば２．５〜４．５μｍである。
【００２０】
液晶表示装置１０は、基板２１０上に、遮光膜２５０と、カラーフィルタ２５２とを含んでいる。遮光膜２５０は、例えば樹脂で構成可能であり、画素２０の境界上を行方向に延伸した行方向部分２５０ｘと、画素２０の境界上を列方向に延伸した列方向部分２５０ｙとを有している。なお、両部分２５０ｘ，２５０ｙの交差部分は両部分２５０ｘ，２５０ｙで互いに共有している。両部分２５０ｘ，２５０ｙによって、遮光膜２５０には画素２０ごとに開口部が形成されている。各開口部には、その画素２０の表示色に応じた色相のカラーフィルタ２５２が配置されている。
【００２１】
なお、遮光膜２５０形状は図示の例に限られるものではない。例えば部分２５０ｘ，２５０ｙの幅は、後述の画素トランジスタＴＲ（図２参照）に重なるように局所的に幅広になっていてもよい。
【００２２】
液晶表示装置１０は、遮光膜２５０およびカラーフィルタ２５２を覆って順次、積層された不図示のオーバーコート層と配向膜とを含んでいる。当該配向膜の液晶層３０２に接する表面は所定方向にラビングされている。また、液晶表示装置１０は、上記支持基板の液晶層３０２とは反対側に偏光板を含んでいる。
【００２３】
また、液晶表示装置１０は、基板１１０上に、半導体層１５０と、ゲート絶縁膜１１２と、ゲート信号線１５２と、表示信号線１５６と、絶縁膜１５８と、共通電極１６０と、絶縁層１６２と、画素電極１６４とを含んでいる。
【００２４】
半導体層１５０は、各画素２０にそれぞれ設けられ、画素トランジスタＴＲの能動層を構成する。
【００２５】
ゲート信号線１５２は、ゲート絶縁膜１１２を介して半導体層１５０と積層されている。ゲート信号線１５２のうちで半導体層１５０と交差する部分が画素トランジスタＴＲのゲート電極を構成する。ゲート信号線１５２は、それぞれ行方向に延伸し、列方向に複数本、配列されている。行方向に並んだ複数の画素２０の半導体層１５０は１本のゲート信号線１５２を共有している。ゲート信号線１５２は遮光膜２５０の行方向部分２５０ｘに対向している。
【００２６】
表示信号線１５６は、それぞれ列方向に延伸し、行方向に複数本、配列されている。表示信号線１５６は不図示の絶縁膜によってゲート信号線１５２と絶縁されている。表示信号線１５６は不図示のコンタクトホールを介して半導体層１５０のドレイン領域（またはソース領域）に接続されている。列方向に並んだ画素２０の半導体層１５０は１本の表示信号線１５６を共有している。表示信号線１５６は遮光膜２５０の列方向部分２５０ｙに対向している。表示信号線１５６を覆って絶縁膜１５８が配置されている。
【００２７】
共通電極１６０は、絶縁膜１５８上に配置されている。共通電極１６０は、例えばＩＴＯ（Indium  Tin  Oxide）等の透光性導電膜で構成可能である。ここでは、共通電極１６０が全ての画素２０に跨っている場合を例示する（図３参照）。共通電極１６０によって各画素２０に共通の電位が供給される。
【００２８】
画素電極１６４は、絶縁層１６２を介して共通電極１６０上に積層されている。画素電極１６４は、例えばＩＴＯ等の透光性導電膜で構成可能である。画素電極１６４は、各画素２０にそれぞれ設けられており、カラーフィルタ２５２に対向している。画素電極１６４は、信号線１５２，１５６によって区画された上記各領域に配置されている。換言すれば、平面視において、ゲート信号線１５２は列方向に隣接した画素電極１６４の間を通り、表示信号線１５６は行方向に隣接した画素電極１６４の間を通っている。画素電極１６４は不図示のコンタクトホールを介して半導体層１５０のソース領域（またはドレイン領域）に接続されている。これにより、画素電極１６４には、表示信号線１５６から画素トランジスタＴＲを介して、その画素２０の表示に応じた電位が供給される。なお、画素トランジスタＴＲ以外の他のスイッチング素子を用いることも可能である。
【００２９】
画素電極１６４は、１本の幹部（または背部）１６４ｘと、複数の枝部（または歯部）１６４ｙとを含んでいる。幹部１６４ｘは、ゲート信号線１５２付近において行方向に延伸している。なお、図２では、画素電極１６４と半導体層１５０との上記接続が幹部１６４ｘにおいてなされている場合を例示しており、当該接続箇所付近で幹部１６４ｘが幅広になっている場合を例示している。枝部１６４ｙは、それぞれが列方向に延伸し、スリット（または溝）１６４ｓを挟んで行方向に配列されており、スリット１６４ｓとともにライン・アンド・スペースのパターンを構成している。これらの枝部１６４ｙは、一端において、幹部１６４ｘで繋がれている。すなわち、画素電極１６４は、列方向にスリット１６４ｓが設けられた、くし歯形状をしている。ここでは、全ての画素電極１６４が、くし歯形状を同じ向きにして配列されている場合を例示する。
【００３０】
なお、図２には、各枝部１６４ｙの幅が等しく（例えば２．０〜５．０μｍ）、枝部１６４ｙ間の各間隔すなわち各スリット１６４ｓの幅が等しい（例えば４．０〜８．０μｍ）場合を例示している。なお、枝部１６４ｙの本数は図示の例に限られるものではない。また、画素電極１６４の角部（コーナー部）は、図２のように角張っていてもよいし、丸まった形状でもよい。
【００３１】
なお、共通電極１６０は画素電極１６４のスリット１６４ｓだけでなく枝部１６４ｙにも対向しており、両電極１６０，１６４は絶縁層１６２を介して保持容量を構成している。また、共通電極１６０はゲート信号線１５２、表示信号線１５６にも対向しており、これら配線からの電界の影響を抑制している。
【００３２】
液晶表示装置１０は、画素電極１６４を覆って積層された配向膜１６６を含んでいる。配向膜１６６の液晶層３０２に接する表面は、列方向に略平行に、例えば列方向に対して約５°〜１０°傾いた方向にラビングされている。図２にラビング方向Ａの一例を模式的に図示している。また、液晶表示装置１０は、上記支持基板の液晶層３０２とは反対側に偏光板を含んでいる。
【００３３】
電極１６０，１６４間の電圧がオフ電圧の場合、液晶層３０２の電極１６０，１６４付近の液晶分子は、ラビング方向Ａに配向している（初期配向状態）。オフ電圧よりも高い電圧を電極１６０，１６４間に印加すると、スリット１６４ｓを介して電極１６０，１６４間に電界が発生する。この電界に沿うように、液晶分子は基板平面に略平行な平面内で回転する。すなわち、液晶（分子）が駆動される。液晶分子の回転角を制御することによって、透過光量が制御される。共通電極１６０と画素電極１６４とは、各画素２０において電極対を構成し、上記の液晶駆動用電界を各画素２０において発生する。
【００３４】
なお、例えば上記の２つの配向膜のラビング方向と上記２つの偏光板の偏光軸方向との関係によって、液晶表示装置１０をノーマリ・ブラック（Normaly  Black）型とノーマリ・ホワイト（Normaly  White）型とのいずれにも設計可能である。ここでは、液晶表示装置１０がノーマリ・ブラック型の場合を例示する。
【００３５】
ここで、平面視において、隣接する画素電極１６４と表示信号線１５６との間隔をＳ（μｍ）とし、表示信号線１５６の幅をＷ（μｍ）とする。このとき、液晶表示装置１０では、上記の間隔と幅との合計寸法（Ｓ＋Ｗ）について、
５μｍ≦Ｓ＋Ｗ≦１５μｍ    …（１）
という関係がある。この関係について以下に説明する。
【００３６】
図４に、画素電極１６４と共通電極１６０との間の電界の影響を、画素電極１６４からの距離（横軸）と透過率（縦軸）との関係によって表したグラフを示す。なお、グラフ中に両電極１６４，１６０の断面を併記している。当該グラフでは、横軸は行方向の距離に対応し、横軸の原点を画素電極１６４の外縁の位置に取っている（図３参照）。また、グラフの縦軸は対数表記である。また、透過率は、画素電極１６４の上記外縁の位置における透過率で規格化し、パーセント（％）表記している。グラフ中の特性線は画素２０の表示が最高透過率の場合（ここでは電極１６０，１６４間の印加電圧が４Ｖの場合）を示している。
【００３７】
図４によれば、画素電極１６４からの距離が０〜約２．５μｍの範囲では透過率は最大で約１００％であり、当該距離が２．５μｍ以上の範囲では透過率は指数関数的に減少する。例えば、上記距離が４．７μｍでは透過率は約１０％以下であり、上記距離が６．３μｍでは透過率は約１％以下である。
【００３８】
図４のグラフの横軸を上記合計寸法（Ｓ＋Ｗ）に対応させると、合計寸法（Ｓ＋Ｗ）が４．７μｍの場合および６．３μｍの場合に、隣の画素２０の外縁部で約１０％以下および約１％以下の透過率でそれぞれ光漏れが生じうることが分かる。
【００３９】
種々の評価によれば、隣接画素２０での光漏れが約１０％以下の透過率であれば、表示品位に対する影響は小さく、実用的な表示品位が得られることが分かった。このため、液晶表示装置１０では、上記合計寸法（Ｓ＋Ｗ）を約５μｍ以上に設定している。また、上記合計寸法（Ｓ＋Ｗ）を約７μｍ以上に設定することによって、さらに良好な表示品位が得られ、より好ましい。
【００４０】
液晶表示装置１０では表示信号線１５６を挟んで隣り合う画素２０は互いに表示色（表示する色相）が異なるが、隣接画素２０での光漏れが抑制されることによって、混色が抑制される。その結果、混色による色域の縮小を抑制して、良好な表示品位が得られる。
【００４１】
上記の光漏れおよび混色を抑制するためには、上記合計寸法（Ｓ＋Ｗ）は大きいほど好ましいと考えられる。しかし、上記合計寸法（Ｓ＋Ｗ）の増大は、液晶の配向を制御可能な範囲を縮小し、画素２０の透過率低下を招くことになる。このため、液晶表示装置１０では上記合計寸法（Ｓ＋Ｗ）を１５μｍ以下に設定している。つまり、上記合計寸法（Ｓ＋Ｗ）が１５μｍ以下であれば、画素電極１６４による電界を画素２０内において表示信号線１５６付近まで及ぼすことが可能である。
【００４２】
したがって、上記式（１）を満足することによって、画素２０の透過率低下を抑制しつつ、上記の光漏れおよび混色を抑制することができる。その結果、良好な表示品位を得ることができる。
【００４３】
なお、画素２０での電界は、ゲート信号線１５２を挟んで隣接した画素２０内に至る場合がある。しかし、この場合、漏れ電界はラビング方向と略平行であるので、隣接画素２０における液晶分子の配向の変動は小さい。このため、透過率の変化量は小さく、表示に対する影響は小さいと考えられる。
【００４４】
上記では各枝部１６４ｙの幅が等しい場合を例示したが（図２参照）、両端の枝部１６４ｙの一方または両方の枝部１６４ｙの幅を、残りの枝部１６４ｙの幅と異ならせることも可能である。図５の平面図には、両端の枝部１６４ｙを両方とも、残りの枝部１６４ｙよりも細くした画素電極１６４Ｂを例示している。画素電極１６４Ｂは上記画素電極１６４に代えて液晶表示装置１０に適用可能である。
【００４５】
上記式（１）を満足させるように画素電極の幅を決める場合に、枝部１６４ｙおよびスリットの幅１６４ｓを等しくすると、枝部１６４ｙおよびスリット１６４ｓの幅を変える必要が出てくる。この場合に、例えば枝部１６４ｙおよびスリット１６４ｓの幅を小さくすると、スリット１６４ｓを通る電界を確保するために電極１６０，１６４間の印加電圧を増大させる必要が生じたり、画素電極１６４のパターン形成不具合が生じたりする。逆に、例えば枝部１６４ｙおよびスリット１６４ｓの幅を大きくすると、画素２０内で配向制御可能な液晶の領域が小さくなり透過率の低下が生じうる。
【００４６】
これに対して、両端の枝部１６４ｙの少なくとも一方の枝部１６４ｙの幅を、残りの枝部１６４ｙの幅と異ならせることによって、枝部１６４ｙとスリット１６４ｓとによるライン・アンド・スペースのパターンの最適化と、上記式（１）の関係の充足とを同時に図ることができる。ここで、両端の枝部１６４ｙのそれぞれは、片側においてはスリット１６４ｓに隣接するが、反対側ではスリット１６４ｓに隣接していない。このため、両端の枝部１６４ｙについては、幅を増減させた場合であっても、上記の印加電圧増大化等は生じにくいと考えられる。
【００４７】
上記では画素電極１６４がくし歯形状の場合を例示したが、図６の平面図に示す画素電極１６４Ｃを適用することも可能である。画素電極１６４Ｃは、上記の画素電極１６４において枝部１６４ｙの開放端をもう一つの幹部１６４ｘ２で繋いだ形状をしている。この場合、各スリット１６４ｓは画素電極１６４Ｃの外縁まで到達していないが、画素電極１６４Ｃも複数の枝部１６４ｙを含んで構成されている。なお、画素電極１６４Ｃにおいても、両端の枝部１６４ｙのうちの少なくとも一方の枝部１６４ｙの幅を、残りの枝部１６４ｙの幅と異ならせることも可能である。
【００４８】
上記ではスリット１６４ｓおよび枝部１６４ｙが画素２０の長手方向（ここでは列方向）に延伸している場合を例示した。これに対して、画素２０の短手方向（ここでは行方向）にスリットおよび枝部を延伸させることも可能である。ここで、説明を簡単にするため、前者を「縦スリット型」と呼び、後者を「横スリット型」と呼ぶことにする。横スリット型においても、画素電極１６４を覆う配向膜１６６は、スリットおよび枝部の長手方向に略平行にラビング処理される。なお、スリットおよび枝部は画素２０の長手方向または短手方向に対して傾斜した方向に延伸させることも可能であるが、その傾斜角が小さい場合、例えば１０°以下の場合は、実質的に縦スリット型または横スリット型と同一視できる。
【００４９】
上記では画素電極１６４が共通電極１６０よりも液晶層３０２側に配置される場合すなわち画素電極１６４が上電極となる場合を例示したが、共通電極１６０を上電極にすることも可能である。ここで、上電極には、液晶駆動用電界を形成するために、スリットを設ける必要がある。また、上電極は、液晶分子の配向性を向上させるために、薄いほど好ましい。このため、複数の画素２０にわたる共通電極１６０を上電極にした構成では、共通電極の抵抗が大きくなる場合がある。この場合、駆動法（例えば点順次駆動）によっては、横クロストーク等が発生して表示品位が低下しうる。したがって、共通電極１６０を下電極にし、画素電極１６４を上電極にすることが好ましい場合もある。
【００５０】
また、上記では共通電極１６０が全ての画素２０に跨っている場合を例示した。これに対して、例えば、共通電極１６０を画素２０ごとに分割し、これら複数の分割電極を配線で接続してもよい。また、例えば、全画素２０を複数のグループに分け、当該グループごとに共通電極１６０を分割配置することも可能である。なお、共通電極１６０の分割はゲート信号線１５２または表示信号線１５６に対向する位置で行うことが可能である。
【００５１】
ここで、共通電極１６０を上電極にし、かつ、分割した場合、分割された共通電極１６０間のすき間を通って画素電極１６４の電位による電界が隣接画素２０の液晶層３０２へ漏れる可能性が考えられる。しかし、上記の各種構成を応用することによって、漏れ電界の影響を抑制して、良好な表示品位が得られる。
【００５２】
例えば、共通電極１６０が表示信号線１５６に対向する位置で分割され各分割電極が縦スリット型である場合、上記式（１）の関係を応用することが可能である。すなわち、平面視において画素電極１６４と表示信号線１５６との間隔と、当該表示信号線１５６の幅との合計寸法を５μｍ以上１５μｍ以下に設定することによって、隣接画素２０での光漏れ等を抑制することができる。
【図面の簡単な説明】
【００５３】
【図１】本発明の実施の形態に係る液晶表示装置を説明する平面図である。
【図２】図１中の一点鎖線で囲んだ部分２を説明する平面図である。
【図３】図２中の３−３線における断面図である。
【図４】本発明の実施の形態に係る液晶表示装置を説明するグラフである。
【図５】本発明の実施の形態に係る画素電極の第２例を説明する平面図である。
【図６】本発明の実施の形態に係る画素電極の第３例を説明する平面図である。
【符号の説明】
【００５４】
１０  液晶表示装置、２０  画素、１１０，２１０  基板、１５２  ゲート信号線（配線）、１５６  表示信号線（配線）、１６０  共通電極、１６２  絶縁層、１６４，１６４Ｂ，１６４Ｃ  画素電極、１６４ｙ  枝部、１６４ｓ  スリット、１６６  配向膜、３０２  液晶層、Ａ  ラビング方向、Ｓ  間隔、ＴＲ  画素トランジスタ（スイッチング素子）、Ｗ  幅。
【図１】
2008197343.tif 000003
【図２】
2008197343.tif 000004
【図３】
2008197343.tif 000005
【図４】
2008197343.tif 000006
【図５】
2008197343.tif 000007
【図６】
2008197343.tif 000008